(57)【要約】      （修正有）【課題】一定の保持力でエレメント部分およびアンテナ基部を保持する。【解決手段】第２エレメント１２の下部を形成しているジョイント１２ａの下端に平板状の挟持片２２ｂが形成されており、挟持片２２ｂがアンテナ基部１３に設けられた挟持部１３ａに傾動自在に保持されている。トップ部１０が先端に固着され第２エレメント１２を備えるエレメント部分とアンテナ基部１３とは、スプリングホルダー１８の断面がほぼ円形に折曲されているスプリング部に摺動自在に保持される。スプリングホルダー１８には、スプリング部の両端から対面するよう延伸された取付片を有しており、取付片の間にスペーサを介在させてネジにより取り付ける。スペーサの厚さを調整することにより弾性的に保持する保持力を調整できる。【選択図】図２
2010074384.tif 000002
【特許請求の範囲】
【請求項１】
可撓性を有するエレメントを有し、前記エレメントの先端にトップ部が固着されていると共に、下端に挟持片が形成されているエレメント部分と、
前記エレメント部分の下端に形成されている前記挟持片を挟持すると共に軸部で枢支する挟持部を有し、前記エレメント部分を傾動可能に保持するアンテナ基部と、
前記エレメント部分および前記アンテナ基部を弾性的に保持できる断面がほぼ円形に折曲されているスプリング部と、該スプリング部の両端から対面するよう延伸された取付片とを有するスプリングホルダーと、
該スプリングホルダーにおける前記取付片の間に介在させるスペーサとを備え、
前記スプリングホルダー内に前記エレメント部分および前記アンテナ基部が摺動可能に保持されると共に、携帯電子機器に前記スプリングホルダーを取り付けた際に、前記スプリングホルダーにおける前記スプリング部の内径が、前記スペーサの厚さに応じた大きさとされることを特徴とする携帯電子機器用のアンテナ。
【発明の詳細な説明】
【技術分野】
【０００１】
本発明は、少なくとも受信機能を有する電子機器、特に地上波デジタルテレビ放送を受信することのできる携帯電話機等に備えられる携帯電子機器用のアンテナに関する。
【背景技術】
【０００２】
携帯電話機が普及しているが、この携帯電話機においては通話や情報を送受信するためにアンテナが備えられている。アンテナは携帯電話機の筐体に内蔵されていたり、携帯電話機の筐体に対して伸縮自在とされて不使用時には筐体内に収納できるリトラクティブなアンテナとされているのが一般的である。
ところで、近年地上波デジタルテレビ放送が開始されて、地上デジタルテレビジョン放送の１セグメント部分受信サービスを受信することのできる携帯電話機も知られている。この１セグメント部分受信サービスを効率よく受信するには、アンテナの指向特性を電波の到来方向に合致させて受信することが必要となる。このため、１セグメント部分受信サービスを受信するアンテナには、筐体に対して傾動可能かつ回転可能としてアンテナの指向特性を調整することができるアンテナが好適となる。また、待ち受け時には携帯に便利なように、アンテナを携帯電話機の筐体に収納できることが好適とされる。
【０００３】
従来提案されている携帯電話機用のアンテナ２００の構成を図１７および図１８に示す。図１７は２段に伸縮自在とされたアンテナ２００を伸張した際の構成を示す図であり、図１８は図１８に示すアンテナ２００の構成の一部を拡大すると共に断面図で示す図である。
従来のアンテナ２００は、先端にトップ部２１０が設けられている第１エレメント２１１と、第１エレメント２１１を内部に摺動自在に収納可能な第２エレメント２１２からなるエレメント部分を備え、このエレメント部分はアンテナ基部２１３に傾動可能に保持されている。第１エレメント２１１は可撓性を有するエレメント導体から構成され、第２エレメント２１２はコイルスプリングから構成されている。第２エレメント２１２の上部にはホールド部２１２ｂが嵌着されており、下部にはジョイント２１２ａが嵌着されている。ジョイント２１２ａの下端には平板状の挟持片が備えられている。アンテナ基部２１３は、挟持片を挟持する挟持部２１３ａを備え、挟持片は軸部２１５により挟持部２１３ａ（すなわち、アンテナ基部２１３）に対して傾動可能に枢支されている。アンテナ基部２１３と第２エレメント２１２はホルダー２１４内を摺動可能に保持されている。ホルダー２１４は上部に鍔部２１４ｂが形成され、その外周面にはネジ部が形成されている。このホルダー２１４を携帯電話機の筐体に螺着することにより、アンテナ２００が携帯電話機に取り付けられるようになる。
【０００４】
アンテナ基部２１３がホルダー２１４に摺動可能に保持されている構成が図１８に示されている。アンテナ基部２１３の下端には径が若干大きくされたストッパー２１６が設けられており、アンテナ２００をホルダー２１４に対して上方へ引き出した際にストッパー２１６がホルダー２１４の下部の内側に凸状に形成されている係止部２１４ｃに係合し、係合した際にはそれ以上アンテナ２００は引き出されなくなる。ホルダー２１４の全体にわたり貫通孔が形成されており、この貫通孔内にドラムスプリング２１７が抜け出ないように嵌挿されている。このドラムスプリング２１７は内側に膨出する複数の膨出片を有しており、このドラムスプリング２１７における膨出片の作用によりアンテナ基部２１３は弾性的かつ摺動可能に保持されるようになる。また、第２エレメント２１２およびトップ部２１０の下部の外径もアンテナ基部２１３の外径とほぼ同様とされていることから、第２エレメント２１２およびトップ部２１０の下部もホルダー２１４に弾性的かつ摺動可能に保持されるようになる。
【発明の開示】
【発明が解決しようとする課題】
【０００５】
従来のアンテナ２００におけるホルダー２１４を組み立てるには、図１９に示すようにドラムスプリング２１７の径を若干絞るようにしてホルダー２１４の下端から貫通孔内に挿入すると、貫通孔内に挿入されたドラムスプリング２１７は自身の弾性力により径が広がり、挿通孔内に形成された凹部内に嵌挿されて抜けでないようになる。なお、ドラムスプリング２１７には所定間隔で切欠孔２１７ａが形成されており、切欠孔２１７ａの間に形成された膨出片２１７ｂが内側に屈曲されてスプリングとなされている。従来のアンテナ２００においては、ドラムスプリング２１７等の部品の寸法が製造時にばらつくことにより一定の保持力でエレメント部分およびアンテナ基部を保持することができない場合が生じるという問題点があった。また、アンテナを機器に取り付ける部品としてホルダー２１４とドラムスプリング２１７との部品が必要になり、アンテナ２００の部品点数が多くなるという問題点があった。
【０００６】
そこで、本発明は一定の保持力でエレメント部分およびアンテナ基部を保持することができると共に部品点数を削減することができる携帯電子機器用のアンテナを提供することを目的としている。
【課題を解決するための手段】
【０００７】
上記目的を達成するために、本発明の携帯電子機器用のアンテナは、エレメント部分およびアンテナ基部を弾性的に保持する断面がほぼ円形に折曲されているスプリング部と、該スプリング部の両端から対面するよう延伸された取付片とを有するスプリングホルダーと、スプリングホルダーにおける取付片の間に介在させるスペーサとを備え、携帯電子機器にスプリングホルダーを取り付けた際に、スプリングホルダーにおけるスプリング部の内径が、スペーサの厚さに応じた大きさとされることを最も主要な特徴としている。
【発明の効果】
【０００８】
本発明によれば、携帯電子機器にスプリングホルダーを取り付けた際に、スプリングホルダーにおけるスプリング部の内径が、スペーサの厚さに応じた大きさとされることから、スペーサの厚さに応じてスプリングホルダーの保持力を調整することができる。これにより、一定の弾性力でエレメント部分およびアンテナ基部を保持するよう保持力を調整することができる。また、携帯電子機器に取り付ける部品としてスプリングホルダーのみ必要とされることから、部品点数を削減することができる。
【発明を実施するための最良の形態】
【０００９】
本発明の実施例とされる携帯電子機器用のアンテナ１の構成の一例を図１ないし図３に示す。図１は本発明にかかるアンテナ１を短縮した際の構成を示す正面図であり、図２は本発明にかかるアンテナ１を伸張した際の構成を示す正面図であり、図３は本発明にかかるアンテナ１の一部を拡大して断面図で示す正面図である。
これらの図に示す本発明の実施例にかかるアンテナ１は、先端にトップ部１０が設けられている第１エレメント１１と、第１エレメント１１を内部に摺動自在に収納可能な第２エレメント１２からなるエレメント部分を備え、このエレメント部分はアンテナ基部１３に傾動可能に保持されている。トップ部１０は、第１エレメント１１および第２エレメント１２からなるエレメント部分を伸縮する際に把持される摘みとなる合成樹脂製の円盤状の形状とされている。また、トップ部１０の下部から棒状に延伸する部分は、第２エレメント１２およびアンテナ基部１３とほぼ同様の外径とされている。第１エレメント１１は、超弾性合金製の可撓性を有するエレメント導体を柔軟な絶縁チューブで被覆して構成されている。また、第２エレメント１２は、屈曲自在とされているコイルスプリングを柔軟な絶縁チューブで被覆して構成されている。第２エレメント１２の上部には金属製のホールド部１２ｂが嵌着されており、下部には金属製のジョイント１２ａが嵌着されている。第１エレメント１１におけるエレメント導体の下部に保持バネが固着されており、第１エレメント１１を第２エレメント１２内において摺動した際に保持バネの作用により第１エレメント１１が第２エレメント１２の内周面に弾性的に接触して保持されるようになる。これにより、第１エレメント１１を第２エレメント１２から任意の長さで引き出して保持することができるようになる。ジョイント１２ａの下端には挟持片２２ｂが設けられており、挟持片２２ｂは角が丸みを帯び下面が平坦とされたほぼ矩形の平板状に形成されている。
【００１０】
アンテナ基部１３は、ジョイント１２ａに形成されている挟持片２２ｂを挟持する挟持部１３ａを上部に備え、挟持片２２ｂは第１ピン１７および第２ピン１９からなる軸部により挟持部１３ａ（すなわち、アンテナ基部１３）に対して傾動可能に枢支されている。アンテナ基部１３の外径は、第２エレメント１２の外径とほぼ等しくされている。そして、アンテナ基部１３と第２エレメント１２はスプリングホルダー１８内を上下方向に摺動可能に保持されている。スプリングホルダー１８はドラムスプリングとして形成されたスプリング部１８ａと、スプリング部１８ａから側方へ延伸された一対の板状の取付片１８ｂから構成されている。取付片１８ｂには、上下に２つの取付穴１８ｃが形成されており、この取付穴１８ｃにねじを挿通して例えば携帯電話機内の基板に固着することにより、アンテナ１を携帯電話機に取り付けることができるようになる。図１および図２には、第１エレメント１１と第２エレメント１２からなるエレメント部分がスプリングホルダー１８内を摺動して伸張されたアンテナ１の構成が示されており、図２には、さらに、第１エレメント１１を第２エレメント１２内から伸張したアンテナ１の構成が示されている。
【００１１】
図３に示すように、第１ピン１７および第２ピン１９からなる軸部により挟持部１３ａに対して傾動可能に枢支されている挟持片２２ｂは、アンテナ基部１３内に収納されている上部が拡径された丸棒状の押し棒１４を介して、アンテナ基部１３内に収納されているコイルスプリング１５により押圧されている。この場合、アンテナ基部１３の下端からストッパー１６が嵌入されて、コイルスプリング１５はアンテナ基部１３内においてストッパー１６と押し棒１４との間において押し縮められている。そして、押し棒１４の上面は平面とされて平板状の挟持片２２ｂの周側面に当接している。押し棒１４における径が細くされた下部はコイルスプリング１５内に嵌挿されており、コイルスプリング１５の上端が押し棒１４の上部と下部との境界に形成された段部に当接しており、ストッパー１６の上面にコイルスプリング１５の下端が当接している。これにより、押し縮められているコイルスプリング１５の付勢力が押し棒１４を介して挟持片２２ｂの周側面に印加されて、第１エレメント１１および第２エレメント１２からなるエレメント部分を傾動した際に、安定してその傾動角度で保持できるようになる。
【００１２】
また、挟持片２２ｂは角が丸みを帯びたほぼ矩形に形成されて、周側面の下面に平坦面が形成されており、エレメント部分をアンテナ基部１３に対して傾動状態から直立状態にした際に、押し棒１４の平坦な上面に挟持片２２ｂの周側面における平坦面が当接するようになってクリック感が得られるようになる。なお、スプリングホルダー１８のスプリング部１８ａは、内側に膨出する膨出片を備えるドラムスプリングとされており、このドラムスプリングの作用によりアンテナ基部１３が弾性的にスプリングホルダー１８に保持されている。また、スプリングホルダー１８を取り付ける際に、取付片１８ｂの間にスペーサを介在させており、このスペーサの厚みを調整することにより、スプリングホルダー１８の保持力を調整することができる。これにより、製造時等に寸法のバラツキがあってもスペーサの厚みを調整することによりスプリングホルダー１８は一定の保持力で第２エレメント１２およびアンテナ基部１３を保持することができ、第２エレメント１２をアンテナ基部１３に対して任意の角度で傾動した状態において、第１エレメント１１および第２エレメント１２からなるエレメント部分を安定して保持することができる。このように、第１エレメント１１および第２エレメント１２からなる伸縮可能なエレメント部分を備えるアンテナ１を、筐体に対して傾動可能かつ回転可能としてアンテナ１の指向特性を所望の方向に調整し、その状態を安定して維持することができるようになる。
【００１３】
次に、本発明の実施例のアンテナ１を携帯電話機１００に取り付ける態様を示す斜視図を図４に示す。
図４に示すように、携帯電話機１００は上筐体１０１と下筐体１０２とを嵌合して構成されており、その内部に携帯電話機用の各種電子回路が組み込まれる基板１０３が内蔵される。上筐体１０１には、テンキーや操作ボタンからなる操作子１０１ａと液晶等からなるディスプレイ１０１ｂとが設けられている。アンテナ１を携帯電話機１００に取り付ける際には、基板１０３の上部における側部に２本のネジ２０をスプリングホルダー１８の取付け１８ｂに形成されている取付穴１８ｃにそれぞれ挿通して、２本のネジ２０を基板１０３に螺着する。これにより、アンテナ１を基板１０３に取り付けることができ、上筐体１０１と下筐体１０２とを嵌合することにより、アンテナ１が取り付けられた基板１０３を携帯電話機１００に内蔵させることができる。この場合、携帯電話機１００内にアンテナ１は伸縮自在に収納されるようになる。そして、アンテナ１を携帯電話機１００内に収納した際には、トップ部１０の下部から棒状に延伸する部分がスプリングホルダー１８内に保持される。また、アンテナ１を携帯電話機１００から伸張した際には、約３６０°の範囲において回動することができると共に０°〜約９０°の傾動範囲で傾動することができるようになる。これにより、携帯電話機１００に取り付けられているアンテナ１の指向特性を所望の方向に向けると共に、アンテナ１の長さを変えることができるようになり、地上デジタルテレビジョン放送の１セグメント部分受信サービスを受信することのできる携帯電話機１００に好適なアンテナとすることができる。
【００１４】
次に、本発明の実施例のアンテナ１を構成している各部品の構成を図５ないし図１６に示す。
スプリングホルダー１８の構成を図５ないし図７に示す。ただし、図５はスプリングホルダー１８の構成を示す正面図であり、図６はスプリングホルダー１８の構成を示す上面図であり、図７はスプリングホルダー１８を展開した構成を示す正面図である。
スプリングホルダー１８を作成する場合は、まず、リン青銅等の弾性を有する金属板を図７に示すように加工して、長方形とされた金属板に端部が半円状とされた細長い矩形状の切欠孔１８ｄを所定間隔ごとに形成する。また、両端には２つずつの円形の取付穴１８ｃを形成する。切欠孔１８ｄと切欠孔１８ｄとの間の部位が後述する膨出片１８ｅとされる。このように加工された図７に示す長方形の金属板の取付穴１８ｃが形成されている両端部を除いて、円筒状になるように折曲加工する。次いで、円筒状に加工された部位を内側に向けて若干屈曲させる。これにより、切欠孔１８ｄ間に内側に膨出する膨出片１８ｅが形成されてドラムスプリング状のスプリング部１８ａを形成される。また、両端部は向かい合うように形成されて取付片１８ｂが形成される。向かい合う取付片１８ｂの間にはスペースが形成されており、このスペースに挿通孔２１ａが形成されている厚さｔのスペーサ２１を挿入して、取付片１８ｂの取付穴１８ｃおよびスペーサ２１の挿通孔２１ａに挿通したネジ２０を基板１０３等に取り付ける。この場合、スペーサ２１の厚さｔに応じて、スプリング部１８ａの内径φＤの大きさが変更されることから、スペーサ２１の厚さｔを変えることにより、スプリングホルダー１８の保持力を調整することができる。
【００１５】
次に、アンテナ基部１３の構成を図８および図９に示す。ただし、図８はアンテナ基部１３の構成を示す正面図であり、図９はアンテナ基部１３の構成を断面図で示す側面図である。
アンテナ基部１３は真鍮等の金属製とされ先端部に設けられた挟持部１３ａと、挟持部１３ａの下部に設けられた円筒状の本体部１３ｂとから構成されている。挟持部１３ａには、第２エレメント１２のジョイント１２ａに形成されている挟持片２２ｂが嵌入される挟持溝１３ｃがほぼ中央に形成されている。挟持片２２ｂを挟持する挟持部１３ａには挿通孔１３ｄが形成されており、挟持溝１３ｃに挟持片２２ｂを嵌入して挿通孔１３ｄの両側から軸部となる第１ピン１７と第２ピン１９をそれぞれ嵌挿することにより、第２エレメント１２はアンテナ基部１３に対して傾動可能に枢支される。また、本体部１３ｂ内には貫通孔１３ｆが形成されており、本体部１３ｂの上部において貫通孔１３ｆは挟持溝１３ｃの部分を除いて閉じられている。また、本体部１３ｂの下部には外径が若干大きくされた鍔部１３ｅが形成されている。この鍔部１３ｅは、第１エレメント１１と第２エレメント１２とからなるエレメント部分が伸張された際に、スプリングホルダー１８の下端に当接し、エレメント部分をそれ以上引き出せないようにしている。なお、挿通孔１３ｄにおける挟持溝１３ｃ側の内径が小さくされ外側の内径が大きく形成されて、挿通孔１３ｄ内には段差が設けられている。
【００１６】
次に、図１０はジョイント１２ａの構成を示す正面図であり、図１１はジョイント１２ａの構成を示す側面図である。
これらの図に示すように、ジョイント１２ａは真鍮等の金属製とされ上端が開放された円筒状の本体部２２ａと、本体部２２ａの下端から延伸された平板状の挟持片２２ｂとから構成されている。本体部２２ａ内には第２エレメント１２の下部が嵌挿される挿入孔が形成されており、平板状の挟持片２２ｂには挿通孔２２ｃが形成されている。アンテナ基部１３における挟持部１３ａの挟持溝１３ｃ内に挟持片２２ｂを挿入し、挟持部１３ａの一方の挿通孔１３ｄから挿通した第１ピン１７を挟持片２２ｂに形成された挿通孔２２ｃを貫通させて他方の挿通孔１３ｄまで挿通し、さらに他方の挿通孔１３ｄから第２ピン１９を第１ピン１７内に嵌入して軸部が構成される。挟持片２２ｂの周側面は、角が丸みを帯び下面が平坦なほぼ矩形とされており、周側面には押し棒１４の平坦な上面が弾性的に押圧される。これにより、傾動した状態から第２エレメント１２をほぼ直立させた際に、ほぼ矩形とされた挟持片２２ｂの丸みを帯びた角を乗り越えて下面の平坦な周側面に押し棒１４における平坦な上面が弾性的に当接するようになり、クリック感が得られるようになる。なお、本体部２２ａの挿入孔には第２エレメント１２の下部が嵌挿されてカシメ加工されることにより、ジョイント１２ａが第２エレメント１２の下部に嵌着される。
【００１７】
次に、図１２（ａ）は軸部を構成している第１ピン１７の構成を示す正面図であり、図１２（ｂ）は第１ピン１７の構成を示す側面図であり、図１２（ｃ）は第１ピン１７の構成を断面図で示す側面図である。
これらの図に示す第１ピン１７はステンレスや真鍮等の金属製とされ、拡径された断面円形の頭部１７ｂと、頭部１７ｂから延伸されている断面円形の径が細くされた棒状の本体部１７ａから構成されている。また、本体部１７ａ内には所定深さの嵌挿孔１７ｃが形成されている。この嵌挿孔１７ｃ内に、第２ピン１９が嵌入されることにより軸部が構成される。なお、頭部１７ｂの外径はアンテナ基部１３における挿通孔１３ｄの小さい方の内径より大きく大きい方の内径より小さく形成されている。
【００１８】
次に、図１３（ａ）は軸部を構成している第２ピン１９の構成を示す正面図であり、図１３（ｂ）は第２ピン１９の構成を示す側面図である。
これらの図に示す第２ピン１９はステンレスや真鍮等の金属製とされ、拡径された断面円形の頭部１９ａと、頭部１９ａから延伸されている断面円形の径が細くされた棒状の嵌入部１９ｂとから構成されている。この嵌入部１９ｂを、第１ピン１７における嵌挿孔１７ｃに嵌入することにより軸部が構成される。なお、頭部１９ａの外径はアンテナ基部１３における挿通孔１３ｄの小さい方の内径より大きく大きい方の内径より小さく形成されている。
【００１９】
次に、図１４(ａ)は押し棒１４の構成を示す側面図であり、図１４(ｂ)は押し棒１４の構成を示す正面図である。この図に示すように、押し棒１４は金属製あるいは合成樹脂製とされ、丸棒状に形成されている。押し棒１４の上部に拡径された本体部１４ａが形成されており、本体部１４ａの下面から径が細くされた挿入部１４ｂが延伸されて形成されている。本体部１４ａの外径は、アンテナ基部１３における貫通孔１３ｆの内径とほぼ同じ径とされ、本体部１４ａの上面には平坦な当接面１４ｃが形成されている。押し棒１４はアンテナ基部１３における貫通孔１３ｆ内に摺動自在に収納される。
【００２０】
次に、図１５はコイルスプリング１５の構成を示す側面図である。この図に示すように、コイルスプリング１５はリン青銅等の弾性を有する線材をコイル状に巻回して構成されている。コイルスプリング１５がアンテナ基部１３における貫通孔１３ｆ内に収納された際に、コイルスプリング１５内に押し棒１４の挿入部１４ｂが挿通され、コイルスプリング１５の上端が押し棒１４の本体部１４ａと挿入部１４ｂとの境界の段部に当接する。
【００２１】
次に、図１６（ａ）はストッパー１６の構成を示す正面図であり、図１６（ｂ）はストッパー１６の構成を示す側面図である。
これらの図に示すように、ストッパー１６は真鍮等の金属製とされており、丸棒状の本体部１６ａと下端部１６ｂを有し、本体部１６ａと下端部１６ｂとの間に外径が若干小さくされた溝部１６ｃが形成されている。ストッパー１６は、押し棒１４とコイルスプリング１５とが収納されたアンテナ基部１３における貫通孔１３ｆに下方から嵌入されて、アンテナ基部１３の溝部１６ｃに対応する下部がカシメ加工されることにより、アンテナ基部１３に嵌着される。この際に、ストッパー１６の上面はコイルスプリング１５の下端に当接しコイルスプリング１５を押し縮めるようになる。これにより、押し棒１４がコイルスプリング１５に付勢されて、本体部１４ａの上面の当接面１４ｃが挟持溝１３ｃに枢支されている挟持片２２ｂの周側面に弾性的に当接するようになる。
【産業上の利用可能性】
【００２２】
以上説明した本発明のアンテナは、スプリングホルダーにおける取付片の間にスペーサを介在させて取り付けるようにし、取付片の間に介在させるスペーサの厚さに応じてスプリングホルダーの内径の大きさを調整するようにしている。したがって、アンテナを構成する部品に寸法のバラツキがあっても、スペーサの厚さを調整することによりスプリングホルダーは一定の弾性力でエレメント部分およびアンテナ基部を保持することができる。また、スプリングホルダーのみでアンテナを取り付けることができることから、部品点数を削減することができる。
以上の説明では、地上デジタルテレビジョン放送の１セグメント部分受信サービスを受信することのできる携帯電話機等の携帯電子機器用のアンテナとして説明したが、これに限るものではなく傾動して水平面内において回転することが必要とされるアンテナ一般に適用することができるものである。
また、第１エレメントおよび第２エレメントからなるアンテナ部分は２段に伸縮可能としたが、これに限るものではなく第１エレメントのみからなる１段構成のアンテナ部分としても良い。
【図面の簡単な説明】
【００２３】
【図１】本発明の実施例であるアンテナを短縮した際の構成を示す正面図である。
【図２】本発明の実施例であるアンテナを伸張した際の構成を示す正面図である。
【図３】本発明の実施例であるアンテナの一部を拡大して断面図で示す正面図である。
【図４】本発明の実施例のアンテナを携帯電話機に取り付ける態様を示す斜視図である。
【図５】本発明のアンテナにおけるスプリングホルダーの構成を示す正面図である。
【図６】本発明のアンテナにおけるスプリングホルダーの構成を示す上面図である。
【図７】本発明のアンテナにおけるスプリングホルダーを展開した構成を示す正面図である。
【図８】本発明のアンテナにおけるアンテナ基部の構成を示す正面図である。
【図９】本発明のアンテナにおけるアンテナ基部の構成を断面図で示す側面図である。
【図１０】本発明のアンテナにおけるジョイントの構成を示す正面図である。
【図１１】本発明にかかるアンテナのジョイントの構成を示す側面図である。
【図１２】本発明にかかるアンテナの第１ピンの構成を示す正面図、側面図、断面図で示す側面図である。
【図１３】本発明にかかるアンテナの第２ピンの構成を示す正面図、側面図である。
【図１４】本発明にかかるアンテナの押し棒の構成を示す正面図、側面図である。
【図１５】本発明にかかるアンテナのコイルスプリングの構成を示す正面図である。
【図１６】本発明にかかるアンテナのストッパーの構成を示す正面図、側面図である。
【図１７】従来提案されている携帯電話機用のアンテナの構成を示す図である。
【図１８】従来提案されているアンテナの構成の一部を拡大して断面図で示す図である。
【図１９】従来提案されているアンテナにおけるホルダーの組み立てを説明するための図である。
【符号の説明】
【００２４】
１  アンテナ、１０  トップ部、１１  第１エレメント、１２  第２エレメント、１２ａ  ジョイント、１２ｂ  ホールド部、１３  アンテナ基部、１３ａ  挟持部、１３ｂ  本体部、１３ｃ  挟持溝、１３ｄ  挿通孔、１３ｅ  鍔部、１３ｆ  貫通孔、１４  押し棒、１４ａ  本体部、１４ｂ  挿入部、１４ｃ  当接面、１５  コイルスプリング、１６  ストッパー、１６ａ  本体部、１６ｂ  下端部、１６ｃ  溝部、１７  第１ピン、１７ａ  本体部、１７ｂ  頭部、１７ｃ  嵌挿孔、１８  スプリングホルダー、１８ａ  スプリング部、１８ｂ  取付片、１８ｃ  取付穴、１８ｄ  切欠孔、１８ｅ  膨出片、１９  第２ピン、１９ａ  頭部、１９ｂ  嵌入部、２０  ネジ、２１  スペーサ、２１ａ  挿通孔、２２ａ  本体部、２２ｂ  挟持片、２２ｃ  挿通孔、１００  携帯電話機、１０１  上筐体、１０１ａ  操作子、１０１ｂ  ディスプレイ、１０２  下筐体、１０３  基板、２００  アンテナ、２１０  トップ部、２１１  エレメント、２１２  エレメント、２１２ａ  ジョイント、２１２ｂ  ホールド部、２１３  アンテナ基部、２１３ａ  挟持部、２１４  ホルダー、２１４ｂ  鍔部、２１４ｃ  係止部、２１５  軸部、２１６  ストッパー、２１７  ドラムスプリング、２１７ａ  切欠孔、２１７ｂ  膨出片
【図１】
2010074384.tif 000003
【図２】
2010074384.tif 000004
【図３】
2010074384.tif 000005
【図４】
2010074384.tif 000006
【図５】
2010074384.tif 000007
【図６】
2010074384.tif 000008
【図７】
2010074384.tif 000009
【図８】
2010074384.tif 000010
【図９】
2010074384.tif 000011
【図１０】
2010074384.tif 000012
【図１１】
2010074384.tif 000013
【図１２】
2010074384.tif 000014
【図１３】
2010074384.tif 000015
【図１４】
2010074384.tif 000016
【図１５】
2010074384.tif 000017
【図１６】
2010074384.tif 000018
【図１７】
2010074384.tif 000019
【図１８】
2010074384.tif 000020
【図１９】
2010074384.tif 000021